(57)【特許請求の範囲】
【請求項１】
端末が、起動時に、ネットワークを選択して駐在する操作とカードの初期化操作とを同時に実行し、
前記端末が、カードの初期化を行って得たネットワーク情報に基づいて、継続して駐在して登録するか、又は再びネットワークを選択して駐在して登録するか、又は直接に既に駐在したネットワークで登録するかを判定するステップを含むことを特徴とする端末起動時の駐在及び登録プロセスを加速化する方法。
【請求項２】
前記端末が、ネットワークを選択して駐在する操作とカードの初期化操作を同時に実行した後、さらに、
前記端末が、前記ネットワークを選択して駐在する操作を先に完成したかそれとも前記カードの初期化操作を先に完成したかを判断し、
前記ネットワークを選択して駐在する操作を先に完成した場合、カードの初期化操作を完成した時、前記端末が、カードから得たログインしたネットワーク及びセルの情報が現在既に駐在したネットワーク及びセルの情報と一致するか否かを判断することによって、再びネットワークを選択して駐在して登録するか、又は直接に既に駐在したネットワークで登録するかを判定し、
前記カードの初期化操作を先に完成した場合、前記端末が、カードから得たログインしたネットワーク及びセルの情報が現在駐在しようとするネットワーク及びセルの情報と一致するか否かを判断することによって、継続して駐在して登録するか、又は再びネットワークを選択して駐在して登録するかを判定するステップを含むことを特徴とする請求項１に記載の方法。
【請求項３】
前記端末が、カードから得たログインしたネットワーク及びセルの情報が現在既に駐在したネットワーク及びセルの情報と一致するか否かを判断することによって、再びネットワークを選択して駐在して登録するか、又は直接に既に駐在したネットワークで登録するかを判定するステップが、
前記端末が、カードからログインしたネットワーク及びセルの情報を取得し、カードから得たログインしたネットワーク及びセルの情報が現在既に駐在したネットワーク及びセルの情報と一致するか否かを判断し、
一致すると、現在既に駐在したセルで登録プロセスを発し；
一致しないと、カードから得たログインしたネットワーク及びセルの情報を用いて、再び駐在し、駐在に成功した後、駐在したセルで登録プロセスを発することであることを特徴とする請求項２に記載の方法。
【請求項４】
前記端末が、カードから得たログインしたネットワーク及びセルの情報が現在駐在しようとするネットワーク及びセルの情報と一致するか否かを判断することによって、継続して駐在して登録するか、又は再びネットワークを選択して駐在して登録するかを判定するステップが、
前記端末が、カードからログインしたネットワーク及びセルの情報を取得し、カードから得たログインしたネットワーク及びセルの情報が現在駐在しようとするネットワーク及びセルの情報と一致するか否かを判断し、
一致すると、継続してネットワークへの駐在を行って、駐在に成功した後、駐在したセルで登録プロセスを発し；
一致しないと、現在行っている駐在を中断し、カードから得たログインしたネットワーク及びセルの情報を用いて、再び駐在し、駐在に成功した後、駐在したセルで登録プロセスを発することであることを特徴とする請求項２に記載の方法。
【請求項５】
前記端末が、ネットワークを選択して駐在する操作とカードの初期化操作を行った後、さらに、
ネットワークを選択して駐在する操作を完成した後、カードの初期化操作を完成する前、前記端末が緊急サービスを支援するステップを含むことを特徴とする請求項１乃至４の中のいずれかに記載の方法。
【請求項６】
前記ネットワークを選択して駐在するステップが、
前記端末が、停止される前に最後に駐在していたネットワーク及びセルの情報に基づいてネットワークへの駐在を行うことであることを特徴とする請求項１に記載の方法。
【請求項７】
判断モジュールと、実行モジュールと、を含む端末起動時の駐在及び登録プロセスを加速化する装置であって、
前記判断モジュールは、カードの初期化を行って得たネットワーク情報に基づいて、継続して駐在して登録するか、又は再びネットワークを選択して駐在して登録するか、又は
直接に既に駐在したネットワークで登録するかを判定し、
前記実行モジュールは、起動時に、ネットワークを選択して駐在する操作とカードの初期化操作を同時に実行し、判断モジュールの判断結果に基づいて、対応する登録操作を行うことを特徴とする端末起動時の駐在及び登録プロセスを加速化する装置。
【請求項８】
前記判断モジュールがさらに、ネットワークを選択して駐在する操作とカードの初期化操作を行った後、前記ネットワークを選択して駐在する操作を先に完成したかそれとも前記カードの初期化操作を先に完成したかを判断し、前記ネットワークを選択して駐在する操作を先に完成した後、且つ、前記カードの初期化操作を完成した時、カードから得たログインしたネットワーク及びセルの情報が現在既に駐在したネットワーク及びセルの情報と一致するか否かを判断することによって、再びネットワークを選択して駐在して登録するか、又は直接に既に駐在したネットワークで登録するかを判定し、
前記カードの初期化操作を先に完成した場合、カードから得たログインしたネットワーク及びセルの情報が現在駐在しようとするネットワーク及びセルの情報と一致するか否かを判断することによって、継続して駐在して登録するか、又は再びネットワークを選択して駐在して登録するかを判定することを特徴とする請求項７に記載の装置。
【請求項９】
前記判断モジュールがさらに、ネットワークへの駐在操作を先に完成した後、且つ、カードの初期化操作を完成した場合、カードからログインしたネットワーク及びセルの情報を取得し、カードから得たログインしたネットワーク及びセルの情報が現在既に駐在したネットワーク及びセルの情報と一致するか否かを判断し、一致すると、実行モジュールに駐在したセルで登録プロセスを発するように通知し、
一致しない場合、実行モジュールにカードから得たログインしたネットワーク及びセルの情報を用いて、再び駐在し、駐在に成功した後、駐在したセルで登録プロセスを発するように通知することを特徴とする請求項８に記載の装置。
【請求項１０】
前記判断モジュールがさらに、カードの初期化操作を先に完成した場合、カードからログインしたネットワーク及びセルの情報を取得し、カードから得たログインしたネットワーク及びセルの情報が現在駐在しようとするネットワーク及びセルの情報と一致するか否かを判断し、一致すると、実行モジュールに継続してネットワークへ駐在し、駐在に成功した後、駐在したセルで登録プロセスを発するように通知し、
一致しないと、実行モジュールに現在行っている駐在を中断し、カードから得たログインしたネットワーク及びセルの情報を用いて、再び駐在し、駐在に成功した後、駐在したセルで登録プロセスを発するように通知することを特徴とする請求項８に記載の装置。
【発明の詳細な説明】
【技術分野】
【０００１】
本発明は、移動通信技術に関し、具体的に、端末起動時の駐在及び登録プロセスを加速化する方法及び装置に関するものである。
【背景技術】
【０００２】
現在、端末が起動される場合、通常、無線周波数のオン、カードの初期化、ネットワークを選択して駐在して登録する等の一連の起動プロセスを実行する。ネットワークを選択して駐在するプロセスでカードにおける関連するネットワーク及びセルの情報が必要であるので、通常、先ずカードの初期化を行ってからネットワークを選択して駐在するシリアル起動プロセスで行う。しかし、カードアプリの複雑性によって、端末によるカードの初期化の時間が長くなって、駐在及び登録の時間が延期され、端末が起動されてから正常にサービスを行うまでの時間が長くなる。
【発明の概要】
【発明が解決しようとする課題】
【０００３】
本発明は、上記問題を解決するため、端末起動時の駐在及び登録プロセスを加速化でき、起動から正常にサービスを行うまでの時間を短縮できる端末起動時の駐在及び登録プロセスを加速化する方法及び装置を提供することをその目的とする。
【課題を解決するための手段】
【０００４】
本発明の端末起動時の駐在及び登録プロセスを加速化する方法は、起動時に、ネットワークを選択して駐在する操作とカードの初期化操作とを同時に実行し、
カードの初期化を行って得たネットワーク情報に基づいて、継続して駐在して登録するか、又は再びネットワークを選択して駐在して登録するか、又は直接に既に駐在したネットワークで登録するかを判定するステップを含む。
【０００５】
ここで、前記ネットワークを選択して駐在する操作とカードの初期化操作を同時に実行した後、
前記ネットワークを選択して駐在する操作を先に完成したかそれとも前記カードの初期化操作を先に完成したかを判断し、
前記ネットワークを選択して駐在する操作を先に完成した場合、カードの初期化操作を完成した時、カードから得たログインしたネットワーク及びセルの情報が現在既に駐在したネットワーク及びセルの情報と一致するか否かを判断し、再びネットワークを選択して駐在して登録するか、又は直接に既に駐在したネットワークで登録するかを判定し、
前記カードの初期化操作を先に完成した場合、カードから得たログインしたネットワーク及びセルの情報が現在駐在しようとするネットワーク及びセルの情報と一致するか否かを判断し、継続して駐在して登録するか、又は再びネットワークを選択して駐在して登録するかを判定するステップをさらに含む。
【０００６】
ここで、前記カードから得たログインしたネットワーク及びセルの情報が現在既に駐在したネットワーク及びセルの情報と一致するか否かを判断し、再びネットワークを選択して駐在して登録するか、又は直接に既に駐在したネットワークで登録するかを判定するステップが、
カードからログインしたネットワーク及びセルの情報を取得し、カードから得たログインしたネットワーク及びセルの情報が現在既に駐在したネットワーク及びセルの情報と一致するか否かを判断し、
一致すると、駐在したセルで登録プロセスを発し、
一致しないと、カードから得たログインしたネットワーク及びセルの情報を用いて、再び駐在し、駐在に成功した後、駐在したセルで登録プロセスを発することである。
【０００７】
ここで、前記カードから得たログインしたネットワーク及びセルの情報が現在駐在しようとするネットワーク及びセルの情報と一致するか否かを判断し、継続して駐在して登録するか、又は再びネットワークを選択して駐在して登録するかを判定するステップが、
カードからログインしたネットワーク及びセルの情報を取得し、カードから得たログインしたネットワーク及びセルの情報が現在駐在しようとするネットワーク及びセルの情報と一致するか否かを判断し、
一致すると、継続してネットワークへの駐在を行って、駐在に成功した後、駐在したセルで登録プロセスを発し、
一致しないと、現在行っている駐在を中断し、カードから得たログインしたネットワーク及びセルの情報を用いて、再び駐在し、駐在に成功した後、駐在したセルで登録プロセスを発することである。
【０００８】
ここで、ネットワークを選択して駐在する操作とカードの初期化操作を行った後、ネットワークを選択して駐在する操作を完成した後、カードの初期化操作を完成する前、緊急サービスを支援するステップをさらに含む。
【０００９】
そして、前記ネットワークを選択して駐在することは、停止される前に最後に駐在していたネットワーク及びセルの情報に基づいてネットワークへの駐在を行うことである。
【００１０】
本発明の端末起動時の駐在及び登録プロセスを加速化する装置は、判断モジュールと、実行モジュールと、を含み、ここで、
前記判断モジュールは、カードの初期化を行って得たネットワーク情報に基づいて、継続して駐在して登録するか、又は再びネットワークを選択して駐在して登録するか、又は直接に既に駐在したネットワークで登録するかを判定し、
前記実行モジュールは、起動時に、ネットワークを選択して駐在する操作とカードの初期化操作を同時に実行し、判断モジュールの判断結果に基づいて、対応する登録操作を行う。
【００１１】
ここで、前記判断モジュールはさらに、ネットワークを選択して駐在する操作とカードの初期化操作を行った後、前記ネットワークを選択して駐在する操作を先に完成したかそれとも前記カードの初期化操作を先に完成したかを判断し、前記ネットワークを選択して駐在する操作を先に完成した後、且つ、前記カードの初期化操作を完成した時、カードから得たログインしたネットワーク及びセルの情報が現在既に駐在したネットワーク及びセルの情報と一致するか否かを判断し、再びネットワークを選択して駐在して登録するか、又は直接に既に駐在したネットワークで登録するかを判定し、
前記カードの初期化操作を先に完成した場合、カードから得たログインしたネットワーク及びセルの情報が現在駐在しようとするネットワーク及びセルの情報と一致するか否かを判断し、継続して駐在して登録するか、又は再びネットワークを選択して駐在して登録するかを判定する。
【００１２】
ここで、前記判断モジュールはさらに、ネットワークへの駐在操作を先に完成した後、且つ、カードの初期化操作を完成した場合、カードからログインしたネットワーク及びセルの情報を取得し、カードから得たログインしたネットワーク及びセルの情報が現在既に駐在したネットワーク及びセルの情報と一致するか否かを判断し、一致すると、実行モジュールに駐在したセルで登録プロセスを発するように通知し、
一致しない場合、実行モジュールにカードから得たログインしたネットワーク及びセルの情報を用いて、再び駐在し、駐在に成功した後、駐在したセルで登録プロセスを発するように通知する。
【００１３】
ここで、前記判断モジュールはさらに、カードの初期化操作を先に完成した場合、カードからログインしたネットワーク及びセルの情報を取得し、カードから得たログインしたネットワーク及びセルの情報が現在駐在しようとするネットワーク及びセルの情報と一致するか否かを判断し、一致すると、実行モジュールに継続してネットワークへ駐在し、駐在に成功した後、端末が駐在したセルで登録プロセスを発するように通知し、
一致しないと、実行モジュールに現在行っている駐在を中断し、カードから得たログインしたネットワーク及びセルの情報を用いて、再び駐在し、駐在に成功した後、駐在したセルで登録プロセスを発するように通知する。
【発明の効果】
【００１４】
本発明によると、以下の有益の効果を実現できる。本発明の端末起動時の駐在及び登録プロセスを加速化する方法及び装置によると、端末が起動される時、ネットワークを選択して駐在する操作とカードの初期化操作を同時に行い、また、カードの初期化を行って得たネットワーク情報に基づいて、継続して駐在して登録するか、又は再びネットワークを選択して駐在して登録するか、又は直接に既に駐在したネットワークで登録するかを判定することによって、最も短い時間内に緊急呼び出し又は正常のサービスを支援でき、ユーザの端末の使用に対する満足度を向上できる。
【図面の簡単な説明】
【００１５】
【図１】図１は、本発明に係わる端末起動時の駐在及び登録プロセスを加速化する方法の実施例を示すフローチャートである。
【発明を実施するための形態】
【００１６】
本発明の中心思想は、端末が起動される時、ネットワークを選択して駐在する操作とカードの初期化操作を同時に行い、カードの初期化を行って得たネットワーク情報に基づいて、継続して駐在して登録するか、又は再びネットワークを選択して駐在し登録するか、又は直接に既に駐在したネットワークで登録するかを判定することである。
【００１７】
具体的に、本発明に提供される端末起動時の駐在及び登録プロセスを加速化する方法は、以下のステップを含む。
Ａ：端末がネットワークを選択して駐在しカードの初期化を行う命令を送信した後、ネットワークを選択して駐在する操作とカードの初期化操作を同時に実行し、ここで、端末がネットワークを選択して駐在する操作を実行する際、停止される前に最後に駐在していたネットワーク及びセルの情報に基づいてネットワークへの駐在操作を実行する。
前記ネットワークを選択して駐在する操作を先に完成したかそれとも前記カードの初期化操作を先に完成したかを判断し、前記ネットワークを選択して駐在する操作を先に完成していると、Ｂを実行し、前記カードの初期化操作を先に完成していると、Ｃを実行する。
Ｂ：カードの初期化操作を完成した場合、カードから得たログインしたネットワーク及びセルの情報が現在既に駐在したネットワーク及びセルの情報と一致するか否かを判断することによって、再びネットワークを選択して駐在して登録するか、又は直接に既に駐在したネットワークで登録するかを判定してプロセスを終了する。
Ｃ：カードから得たログインしたネットワーク及びセルの情報が端末の現在駐在しようとするネットワーク及びセルの情報と一致するか否かを判断することによって、継続して駐在して登録するか、又は再びネットワークを選択して駐在して登録するかを判定してプロセスを終了する。
【００１８】
ここで、ステップＢは以下のステップを含む。
Ｂ１：カードの初期化操作を完成した場合、カードからログインしたネットワーク及びセルの情報を取得して、カードから得たログインしたネットワーク及びセルの情報が現在既に駐在したネットワーク及びセルの情報と一致するか否かを判断し、一致すると、ステップＢ２を実行し、そうでないと、端末がカードから得たネットワーク及びセルの情報を用いて、再び駐在を行い、駐在に成功した後、ステップＢ２を実行し、
Ｂ２：端末が、駐在したセルで登録プロセスを発する。
【００１９】
ここで、ステップＣは以下のステップを含む。
Ｃ１：カードの初期化操作を完成した場合、カードからログインしたネットワーク及びセルの情報を取得し、カードから得たログインしたネットワーク及びセルの情報が端末が現在駐在しようとするネットワーク及びセルの情報と一致するか否かを判断し、一致すると、ステップＣ２を実行し、そうでないと、端末は、現在行っている駐在を中断し、カードから得たネットワーク及びセルの情報を用いて再び駐在し、駐在に成功した後、ステップＣ３を実行し、
Ｃ２：端末が、継続してネットワークへの駐在を行って、駐在に成功した後、ステップＣ３を実行し、
Ｃ３：端末が、駐在したセルで登録プロセスを発する。
【００２０】
本発明の端末起動時の駐在及び登録プロセスを加速化する装置は、判断モジュールと、実行モジュールと、を含み、ここで、前記判断モジュールは、カードの初期化を行って得たネットワーク情報に基づいて、継続して駐在して登録するか、又は再びネットワークを選択して駐在して登録するか、又は直接に既に駐在したネットワークで登録するかを判定し、
前記実行モジュールは、起動時に、ネットワークを選択して駐在する操作とカードの初期化操作を同時に実行し、判断モジュールの判断結果に基づいて、対応する登録操作を行い、ここで、ネットワークを選択して駐在する操作を実行する場合、停止される前に最後に駐在していたネットワーク及びセルの情報に基づいてネットワークへの駐在を行う。
【００２１】
ここで、判断モジュールはさらに、ネットワークを選択して駐在する操作とカードの初期化操作を行った後、前記ネットワークを選択して駐在する操作を先に完成したかそれとも前記カードの初期化操作を先に完成したかを判断し、前記ネットワークを選択して駐在する操作を先に完成した後、且つ、前記カードの初期化操作を完成した場合、カードから得たログインしたネットワーク及びセルの情報が現在既に駐在したネットワーク及びセルの情報と一致するか否かを判断することによって、再びネットワークを選択して駐在して登録するか、又は直接に既に駐在したネットワークで登録するかを判定し、また、前記カードの初期化操作を先に完成した場合、カードから得たログインしたネットワーク及びセルの情報が現在駐在しようとするネットワーク及びセルの情報と一致するか否かを判断することによって、継続して駐在して登録するか、又は再びネットワークを選択して駐在して登録するかを判定する。
【００２２】
そして、判断モジュールはさらに、ネットワークへの駐在を先に完成した後、且つ、カードの初期化操作を完成した場合、カードからログインしたネットワーク及びセルの情報を取得し、カードから得たログインしたネットワーク及びセルの情報が現在既に駐在したネットワーク及びセルの情報と一致するか否かを判断し、一致すると、実行モジュールに駐在したセルで登録プロセスを発するように通知し、一致しないと、実行モジュールにカードから得たログインしたネットワーク及びセルの情報を用いて、再び駐在し、駐在に成功した後、駐在したセルで登録プロセスを発するように通知する。
【００２３】
そして、判断モジュールはさらに、カードの初期化操作を先に完成した場合、カードからログインしたネットワーク及びセルの情報を取得し、カードから得たログインしたネットワーク及びセルの情報が端末が現在駐在しようとするネットワーク及びセルの情報と一致するか否かを判断し、一致すると、実行モジュールに継続してネットワークへの駐在を行い、駐在に成功した後、駐在したセルで登録プロセスを発するように通知し、一致しないと、実行モジュールに現在行っている駐在を中断し、カードから得たログインしたネットワーク及びセルの情報を用いて、再び駐在し、駐在に成功した後、駐在したセルで登録プロセスを発するように通知する。
【００２４】
以下、図１を参照して本発明による端末起動時の駐在及び登録プロセスを加速化する方法の実施例を説明する。
図１に示すように、本発明の実施例に係わる端末起動時の駐在プロセスを加速化する方法は以下のステップを含む。
ステップＳ１０１：無線周波数のオンに成功した後、ネットワークを選択して駐在しカードの初期化を行う命令を送信し、ネットワークを選択して駐在する操作とカードの初期化操作を同時に実行する。
ステップＳ１０２：ネットワークを選択して駐在する操作を先に完成したかそれともカードの初期化操作を先に完成したかを判断し、ネットワークへの駐在を先に完成していると、ステップＳ１０３に移行し、カードの初期化を先に完成していると、ステップＳ１０７に移行する。
ステップＳ１０３：ネットワークを選択して駐在する操作を完成した後、現在既に駐在したネットワーク及びセルの情報を記憶する。
ネットワークを選択して駐在する操作を完成した後、例えば、１１０の呼び出し等の緊急サービスを支援できる。
ステップＳ１０４：カードの初期化を完成した後、カードからログインしたネットワーク及びセルの情報を取得する。
ステップＳ１０５：カードから得たログインしたネットワーク及びセルの情報が記憶された現在既に駐在したネットワーク及びセルの情報と一致するか否かを判断し、一致すると、ステップＳ１１１に移行し、そうでないと、ステップＳ１０6に移行する。
ステップＳ１０６：カードから得たネットワーク及びセルの情報を用いて、再び駐在し、駐在に成功した後、ステップＳ１１１を実行する。
ステップＳ１０７：カードの初期化を完成した後、カードからログインしたネットワーク及びセルの情報を取得する。
ステップＳ１０８：カードから得たログインしたネットワーク及びセルの情報が現在駐在しようとするネットワーク及びセルの情報と一致するか否かを判断し、一致すると、ステップＳ１０9に移行し、そうでないと、ステップＳ１１０に移行する。
ステップＳ１０９：継続してネットワークへの駐在を行って、駐在に成功した後、ステップＳ１１１を実行する。
ステップＳ１１０：現在行っている駐在プロセスを中断し、カードから得たログインしたネットワーク及びセルの情報を用いて、再び駐在し、駐在に成功した後、ステップＳ１１１を実行する。
ステップＳ１１１：駐在したセルで登録プロセスを発する。
登録に成功した後、正常のサービスを行うことができる。
【００２５】
上述のように、本発明の端末起動時の駐在及び登録プロセスを加速化する方法及び装置によると、端末が起動される時、ネットワークを選択して駐在する操作とカードの初期化操作を同時に行って、また、カードの初期化を行って得たネットワーク情報に基づいて、継続して駐在して登録するか、又は再びネットワークを選択して駐在して登録するか、又は直接に既に駐在したネットワークで登録するかを判定することによって、最も短い時間内で緊急呼び出し又は正常サービスを支援でき、ユーザの端末使用に対する満足度を向上できる。
【００２６】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0006054432.tif 000002